(57)【要約】【課題】本発明は手元表示器を駆動するための電池の電力消費を抑制することを課題とする。【解決手段】制御回路３６は、ノズル３０による燃料供給が開始されると、流量計４２から出力された流量パルスを積算し、その積算された燃料供給量の数値を計量機本体２８の表示器２７に表示させると共に、無線送信機９２を介してノズル３０に搭載されたノズル表示ユニット９０にも同じ流量表示データを送信する。ノズル表示ユニット９０は、小型の手元表示器９６と、制御部１３０と、無線受信機１４０と、平面アンテナ１４２と、太陽電池ユニット１５０とを有する。太陽電池ユニット１５０は、太陽電池パネル９４と、太陽電池パネル９４から発電された電流を蓄える充電池１５４とを有する。ノズル３０の制御部１３０は、流量計４２により計測された燃料の流速に応じて無線受信機１４０による受信周期を変更する受信周期制御部１３２を有する。【選択図】図４
2010228796.tif 000002
【特許請求の範囲】
【請求項１】
被供給体に燃料を供給するノズルに連通された燃料供給経路と、
該燃料供給経路に設けられた流量計により計測された流量計測値を積算して燃料供給量を演算する供給量演算手段と、
該供給量演算手段により演算された燃料供給量を無線で送信する無線送信部と、
前記被供給体のノズル挿入口に前記ノズルを挿入した状態で視認される位置に配され、前記無線送信部から送信された燃料供給量の無線データを受信する無線受信部を有し、当該燃料供給量を表示する表示器と、
該表示器に設けられた電池と、
前記表示器に設けられ、前記無線受信部を間欠的に起動させ、前記無線受信部が受信した燃料供給量に基づいて前記表示器に当該燃料供給量を表示させる表示制御手段と、を有する燃料供給装置において、
前記流量計により計測された燃料の流速に応じて前記無線受信部による受信周期を変更する受信周期制御手段を備えたことを特徴とする燃料供給装置。
【請求項２】
前記受信周期制御手段は、前記流量計により計測された燃料の流速に反比例して前記無線受信部による受信周期を変更することを特徴とする請求項１に記載の燃料供給装置。
【請求項３】
前記受信周期制御手段は、前記流量計により計測された燃料の流速が所定時間一定値を保った場合に前記無線受信部による受信周期を変更することを特徴とする請求項１または２に記載の燃料供給装置。
【請求項４】
前記無線送信部より送信された燃料供給量の変化を記憶する記憶手段を有し、
前記表示制御手段は、前記無線受信部が燃料供給量を受信しないとき、前記記憶手段より過去の燃料供給量の変化に基づいて現在の燃料供給量を推定する燃料供給量推定手段を有することを特徴とする請求項１乃至３の何れかに記載の燃料供給装置。
【請求項５】
前記流量計により計測された流量計測値に基づく流速の脈動の振幅値が予め設定された閾値を越える場合には、間欠的に受信する間欠受信モードから前記無線送信部より送信された流量供給量を連続して受信する連続受信モードに切替える切替手段を備えたことを特徴とする請求項１乃至４の何れかに記載の燃料供給装置。
【請求項６】
前記切替手段は、前記受信周期に予め設定された時定数を加算した時間が経過した時点で前記間欠受信モードから前記連続受信モードに切替えることを特徴とする請求項５に記載の燃料供給装置。
【請求項７】
前記受信周期制御手段は、前記電池の供給電圧に反比例して前記受信周期を延ばすことを特徴とする請求項１乃至６の何れかに記載の燃料供給装置。
【請求項８】
被供給体に燃料を供給するノズルに連通された燃料供給経路と、
該燃料供給経路に設けられた流量計により計測された流量計測値を積算して燃料供給量を演算する供給量演算手段と、
該供給量演算手段により演算された燃料供給量を無線で送信する無線送信部と、
前記被供給体のノズル挿入口に前記ノズルを挿入した状態で視認される位置に配され、前記無線送信部から送信された燃料供給量の無線データを受信する無線受信部を有し、当該燃料供給量を表示する表示器と、
該表示器に設けられた電池と、
前記表示器に設けられ、前記無線受信部を間欠的に起動させ、前記無線受信部が受信した燃料供給量に基づいて前記表示器に当該燃料供給量を表示させる表示制御手段と、を有する燃料供給装置において、
前記無線送信部より送信された燃料供給量を記憶する記憶手段を有し、
前記表示制御手段は、前記無線受信部が燃料供給量を受信しないとき、前記記憶手段より過去の燃料供給量に基づいて燃料の流速を演算し、当該流速により一定流量が供給されるタイミングを推定し、当該タイミングで前記無線受信部を起動する受信周期制御手段を有することを特徴とする燃料供給装置。
【発明の詳細な説明】
【技術分野】
【０００１】
本発明は燃料供給装置に係り、特に燃料供給量を表示する表示器を本体以外にも備えた燃料供給装置に関する。
【背景技術】
【０００２】
例えば、車両の燃料タンク（被供給体）にガソリン等の燃料を供給する燃料供給装置では、ノズルを車両の燃料供給口に差し込んで燃料タンクに燃料供給を行う。燃料供給装置の制御装置は、計量機本体のノズル掛けに設けられたノズルスイッチのオン・オフにより燃料供給経路のポンプを起動または停止の制御を行っている。
【０００３】
ノズル操作を行う操作者は、ノズルのレバーを開弁方向に操作して車両の燃料タンクに燃料を供給開始する。そして、燃料タンク内の液面が上昇してノズルの液面検知機構が液面検知すると、当該ノズルの自動閉弁機構が閉弁動作して燃料供給が停止したことを計量機本体の表示器の数値表示が停止したことで確認し、さらに、表示器に表示された燃料供給量を見ながらノズルのレバーを操作して、表示器に表示される燃料供給量の末尾がゼロとなるように数値を合わせる合せ込み操作を行なうことが多い。
【０００４】
ところで、近年、セルフサービス方式の燃料供給装置が普及するのに伴って操作に慣れていない人が操作を行うケースが増えており、そのなかで計量機本体の表示器に表示された数値を見ながらノズルのレバーを操作してノズルの液面検知機構が作動して自動的に閉弁した後に少量ずつ合せ込み操作を行う場合がある。
【０００５】
このような合せ込み操作を行う場合、操作者は、燃料供給中のノズルとは別方向にある計量機本体の表示器を見ながら表示された数値の小数点以下がゼロとなるようにノズルレバーを間欠的に操作することになる。すなわち、合せ込み操作を行う操作者は、計量機本体の表示器に表示された数値の変化に注目しており、ノズルが挿入された燃料供給口を見ていないので、燃料供給口から燃料が溢れてしまうことに気付かずにノズルレバーを操作してしまうおそれがあった。
【０００６】
このようなノズル操作を行う際に燃料供給口から燃料が溢れることを防止する手段として、ノズルにも流量を表示する表示器を設けることで、表示器に表示された燃料供給量の数値をみながら燃料供給口の液面上昇を確認できるノズルが開発されている（例えば、特許文献１参照）。この種のノズルには、表示器と共に、充電式電池が設けられており、ノズルをノズル掛けに掛止させると、ノズルスイッチがオンになると共に、当該電池への充電が行なわれる。
【先行技術文献】
【特許文献】
【０００７】
【特許文献１】特開昭６１−１９０４９８号公報
【発明の概要】
【発明が解決しようとする課題】
【０００８】
しかしながら、上記燃料供給装置では、例えば、ノズルが液面検知機構により閉弁しても運転者がノズルを燃料供給口に挿入したままの状態で窓拭きや車内の清掃を行なっている場合には、ノズルの表示器に燃料供給量が表示された状態が長く続くため、当該ノズルの電池の電力消費が大きく、あるいは当該車両が出車して直ぐに次の車両が到着して燃料供給を開始した場合には、当該ノズルに対する充電時間が短いため、十分に充電できないまま次回の燃料供給が行なわれることになり、燃料供給中に電池の電圧が低下して当該ノズルの表示器の表示が行えなくなるおそれがあった。
【０００９】
そこで、本発明は上記事情に鑑み、上記課題を解決した燃料供給装置を提供することを目的とする。
【課題を解決するための手段】
【００１０】
上記課題を解決するため、本発明は以下のような手段を有する。
（１）本発明は、被供給体に燃料を供給するノズルに連通された燃料供給経路と、
該燃料供給経路に設けられた流量計により計測された流量計測値を積算して燃料供給量を演算する供給量演算手段と、
該供給量演算手段により演算された燃料供給量を無線で送信する無線送信部と、
前記被供給体のノズル挿入口に前記ノズルを挿入した状態で視認される位置に配され、前記無線送信部から送信された燃料供給量の無線データを受信する無線受信部を有し、当該燃料供給量を表示する表示器と、
該表示器に設けられた電池と、
前記表示器に設けられ、前記無線受信部を間欠的に起動させ、前記無線受信部が受信した燃料供給量に基づいて前記表示器に当該燃料供給量を表示させる表示制御手段と、を有する燃料供給装置において、
前記流量計により計測された燃料の流速に応じて前記無線受信部による受信周期を変更する受信周期制御手段を備えたことを特徴とする。
（２）本発明は、前記受信周期制御手段が、前記流量計により計測された燃料の流速に反比例して前記無線受信部による受信周期を変更することを特徴とする。
（３）本発明は、前記受信周期制御手段が、前記流量計により計測された燃料の流速が所定時間一定値を保った場合に前記無線受信部による受信周期を変更することを特徴とする。
（４）本発明は、前記無線送信部より送信された燃料供給量の変化を記憶する記憶手段を有し、
前記表示制御手段は、前記無線受信部が燃料供給量を受信しないとき、前記記憶手段より過去の燃料供給量の変化に基づいて現在の燃料供給量を推定する燃料供給量推定手段を有することを特徴とする。
（５）本発明は、前記流量計により計測された流量計測値に基づく流速の脈動の振幅値が予め設定された閾値を越える場合には、間欠的に受信する間欠受信モードから前記無線送信部より送信された流量供給量を連続して受信する連続受信モードに切替える切替手段を備えたことを特徴とする。
（６）本発明は、前記切替手段が、前記受信周期に予め設定された時定数を加算した時間が経過した時点で前記間欠受信モードから前記連続受信モードに切替えることを特徴とする。
（７）本発明は、前記受信周期制御手段が、前記電池の供給電圧に反比例して前記受信周期を延ばすことを特徴とする。
（８）本発明は、被供給体に燃料を供給するノズルに連通された燃料供給経路と、
該燃料供給経路に設けられた流量計により計測された流量計測値を積算して燃料供給量を演算する供給量演算手段と、
該供給量演算手段により演算された燃料供給量を無線で送信する無線送信部と、
前記被供給体のノズル挿入口に前記ノズルを挿入した状態で視認される位置に配され、前記無線送信部から送信された燃料供給量の無線データを受信する無線受信部を有し、当該燃料供給量を表示する表示器と、
該表示器に設けられた電池と、
前記表示器に設けられ、前記無線受信部を間欠的に起動させ、前記無線受信部が受信した燃料供給量に基づいて前記表示器に当該燃料供給量を表示させる表示制御手段と、を有する燃料供給装置において、
前記無線送信部より送信された燃料供給量を記憶する記憶手段を有し、
前記表示制御手段は、前記無線受信部が燃料供給量を受信しないとき、前記記憶手段より過去の燃料供給量に基づいて燃料の流速を演算し、当該流速により一定流量が供給されるタイミングを推定し、当該タイミングで前記無線受信部を起動する受信周期制御手段を有することを特徴とする。
【発明の効果】
【００１１】
本発明によれば、流量計により計測された燃料の流速に応じて無線受信部による受信周期を変更するため、無線送信部から送信された燃料供給量を常時受信する場合よりも受信回数を減らして、表示器の表示時間を短縮することができるので、電池の電力消費を抑えることが可能になる。
【図面の簡単な説明】
【００１２】
【図１】本発明による燃料供給装置の一実施例を示す斜視図である。
【図２】ノズルの側面図である。
【図３】ノズルに設けられた表示器の図である。
【図４】ノズル表示ユニット９０、計量機本体２８の概略構成を模式的に示すブロック図である。
【図５】計量機側の無線送信機９２から送信される流量表示データの送信周期とノズル側の無線受信機１４０の受信周期を示すタイミングチャートである。
【図６】燃料供給装置１６の各機器の構成を示すブロック図である。
【図７】計量機の制御回路３６が実行するメイン制御処理のフローチャートである。
【図８】ノズル表示ユニット９０の制御部１３０が実行するノズル制御処理１のフローチャートである。
【図９】ノズル制御処理１による各信号のタイミングチャートである。
【図１０】流速と間欠動作周期との関係を格納したデータベースを模式的に示す図である。
【図１１】ノズル表示ユニット９０の制御部１３０が実行するノズル制御処理２のフローチャートである。
【図１２】ノズル表示ユニット９０の制御部１３０が実行するノズル制御処理３のフローチャートである。
【図１３】ノズル制御処理３における割込処理Ａのフローチャートである。
【図１４】ノズル表示ユニット９０の制御部１３０が実行するノズル制御処理４のフローチャートである。
【図１５】ノズル制御処理４における割込処理Ｂのフローチャートである。
【図１６】ノズル表示ユニット９０の制御部１３０が実行するノズル制御処理５のフローチャートである。
【図１７】ノズル表示ユニット９０の制御部１３０が実行するノズル制御処理６のフローチャートである。
【発明を実施するための形態】
【００１３】
以下、図面を参照して本発明を実施するための形態について説明する。
【実施例１】
【００１４】
図１は本発明による燃料供給装置の一実施例を示す斜視図である。図１に示されるように、燃料供給システム１０は、燃料供給エリア１２に設置されたセルフサービス燃料供給方式の燃料供給装置１６と、事務所１８内に設置された管理コンピュータ２０とを有する。管理コンピュータ２０は、燃料供給所に設置された各機器を管理しており、燃料供給装置１６から燃料供給要求信号が出力されると、係員が当該燃料供給装置１６の周囲の状態が異常ないことを確認して許可釦を操作することにより燃料供給許可信号を当該燃料供給装置１６へ送信する。
【００１５】
尚、管理コンピュータ２０と燃料供給装置１６に搭載された制御回路との間は、ＳＳ−ＬＡＮ２２を介して双方向で通信可能に接続されている。
【００１６】
燃料供給装置１６は、ポンプや流量計などを有する計量機２４と、計量機２４に搭載された設定器２６と、油種単価、燃料供給量を表示する表示器２７とを有する。また、計量機２４は、計量機本体２８の前面及び背面に設定器２６が設けられており、さらに各油種（本実施例では、例えば、軽油、ハイオクガソリン、レギュラーガソリンの３種類の油種）毎のノズル３０が保持されるノズル掛け３２が設けられている。
【００１７】
ノズル３０は、後述するようにノズル表示ユニット９０が設けられている。ノズル表示ユニット９０は、燃料供給している流量や油種などの燃料供給に関する情報を表示するものであり、ノズル３０を操作する操作者が燃料供給口を見ながら燃料供給量を確認できるように設けられている。
【００１８】
さらに、計量機本体２８には、ノズル表示ユニット９０に表示器２７に表示される流量や油種などの燃料供給に関する情報を無線により送信する無線送信機９２が設けられている。尚、無線送信機９２では、狭域通信またはＤＳＲＣ（Ｄｅｄｉｃａｔｅｄ  Ｓｈｏｒｔ  Ｒａｎｇｅ  Ｃｏｍｍｕｎｉｃａｔｉｏｎ）と呼ばれる通信方式を用いて無線通信を行なっており、他の計量機と混信しないようになっている。
【００１９】
また、各ノズル３０には、燃料が供給されるホース３４が接続されており、ホース３４は計量機本体２８の上部に設けられたホース支持部３５から吊下されている。各ホース３４は計量機本体２８の内部に配置された燃料供給経路（図示せず）に連通されており、各燃料供給経路には流量計、電磁弁、ポンプなどの機器が設けられている。
【００２０】
図２はノズル３０の側面図である。図２に示されるように、ノズル３０は、車両側の燃料供給口に挿入される吐出パイプ３０ａと、液面検知により自動閉弁動作する自動閉弁機構を有するノズル本体３０ｂと、ノズル本体３０ｂの上部に搭載されたノズル表示ユニット９０とを有する。また、ノズル本体３０ｂは、ノズル表示ユニット９０の手前側に操作者が把持するグリップ部３０ｃと、グリップ部３０ｃの下方で回動操作されるノズルレバー３０ｄとを有する。
【００２１】
また、ノズル表示ユニット９０は、後述する表示器や制御部を樹脂モールドにより保持すると共に、ノズル３０の背面側に密着した状態で取り付けられている。従って、操作者がグリップ部３０ｃを把持して吐出パイプ３０ａを車両側の燃料供給口に挿入すると、
ノズル３０の背面側が上方を向いた状態になる。すなわち、ノズル表示ユニット９０は、操作者と対向する向きとなり、燃料供給中において操作者はノズル表示ユニット９０に表示された流量などの情報を視認することができる。
【００２２】
操作者は、吐出パイプ３０ａから燃料を吐出させる燃料供給操作を行なう場合、グリップ部３０ｃを把持してノズルレバー３０ｄを開弁方向に操作する。その際、操作者は、ノズルレバー３０ｄを操作しながら、グリップ部３０ｃの前方に配置されたノズル表示ユニット９０と吐出パイプ３０ａが挿入された燃料供給口とを同時にみることが可能になる。従って、燃料供給操作時には、ノズル表示ユニット９０に表示された積算燃料供給量を確認しながら燃料供給口からの吹き溢れの有無を確認して合せ込み操作することができる。
【００２３】
図３はノズル表示ユニット９０を示す図であり、（Ａ）は平面図、（Ｂ）は側面図である。図３（Ａ）（Ｂ）に示されるように、ノズル表示ユニット９０は、箱状に形成された樹脂製ケース９１の上面に太陽電池パネル９４と、液晶パネル（ＬＣＤ）からなる手元表示器９６と、計量機側の無線送信機９２から送信された流量表示データを受信するための平面アンテナ１４２とが設けられている。また、樹脂製ケース９１の上部開口９１ａは、太陽電池パネル９４及び手元表示器９６の上面を覆う保護ガラス９８がはめ込まれた防水構造になっている。平面アンテナ１４２は、基板上にアンテナとしての導電性金属パターンが形成された小型で薄い形状であるため、樹脂製ケース９１の内部に配置することが可能である。また、上記平面アンテナ１４２の代りに樹脂製ケース９１の内部または外部に他の形式のアンテナを設けるようにしても良いのは勿論である。
【００２４】
図４はノズル表示ユニット９０、計量機本体２８の概略構成を模式的に示すブロック図である。図４に示されるように、制御回路３６は、ノズル３０による燃料供給が開始されると、流量計４２から出力された流量パルスを積算し、その積算された燃料供給量の数値を計量機本体２８の表示器２７に表示させると共に、無線送信機（無線送信部）９２を介してノズル３０に搭載されたノズル表示ユニット９０にも同じ流量表示データを送信する。
【００２５】
ノズル表示ユニット９０は、小型の手元表示器９６と、マイクロコンピュータからなる制御部１３０と、計量機２４から送信された無線信号を受信する無線受信機（無線受信部）１４０と、無線受信機１４０に接続された平面アンテナ１４２と、太陽電池ユニット１５０とを有する。太陽電池ユニット１５０は、太陽電池パネル９４と、太陽電池パネル９４から発電された電流を蓄える充電池１５４とを有する。ノズル表示ユニット９０の手元表示器９６、制御部１３０、無線受信機１４０は、充電池１５４を電源として作動する。
【００２６】
ノズル３０の制御部１３０は、流量計４２により計測された燃料の流速に応じて無線受信機１４０による受信周期を変更する受信周期制御部（受信周期制御手段）１３２を有する。受信周期制御部１３２は、通常は５０ｍｓｅｃ毎に受信した流量表示データを２００ｍｓｅｃ毎に手元表示器９６に表示させているが、燃料の流速が所定値以上の高速になると、連続受信モードから間欠受信モードに切り替わり、受信周期を５０ｍｓｅｃ以上（例えば、２００ｍｓｅｃ）の間欠受信に変更して手元表示器９６による充電池１５４の電圧低下を抑制する。
【００２７】
図５（Ａ）〜図５（Ｃ）は計量機側の無線送信機９２から送信される流量表示データの送信周期とノズル側の無線受信機１４０の受信周期を示すタイミングチャートである。図５（Ａ）に示されるように、制御回路３６は、ノズル３０による燃料供給が開始されると、流量計４２から出力された流量パルスを積算し、無線送信機９２を介して流量表示データを１０ｍｓｅｃ毎に送信する。
【００２８】
図５（Ｂ）に示されるように、ノズル表示ユニット９０の制御部１３０は、無線送信機９２を介して送信された流量表示データを無線受信機１４０を５０ｍｓｅｃ毎に起動させて受信する。従って、制御部１３０は、計量機側から送信された流量表示データを全て受信するのではなく、１０ｍｓｅｃ毎に送信されたデータを５倍に延長した時間間隔（５０ｍｓｅｃ）毎に受信することで消費電力を節約している。
【００２９】
図５（Ｃ）に示されるように、制御部１３０は、受信周期制御部１３２により５０ｍｓｅｃ毎に受信した流量表示データを４倍に延長した時間間隔（２００ｍｓｅｃ）毎に無線受信機１４０を起動させて手元表示器９６に表示させる。さらに、燃料の流速が所定値以上の高速になると、流速に反比例して連続受信モード（受信周期２００ｍｓｅｃ）から間欠受信モード（受信周期４００ｍｓｅｃ）に切り替わり、手元表示器９６における消費電力を節約することができる。
【００３０】
図６は燃料供給装置１６の各機器の構成を示すブロック図である。図６に示されるように、燃料供給装置１６の制御回路３６は、マイクロコンピュータから構成されており、設定器２６、表示器２７、電源回路３７、各燃料供給管路に設けられた２段閉弁式電磁弁３８、ポンプ４０、流量計４２、メモリ４４、人検出センサ４６、インタホン４８、ノズル掛け３２に設けられたノズル掛けスイッチ５０、静電気除去検出スイッチ５４、伝票を発行する伝票発行機５８、音声案内を行うスピーカ６０、無線送信機９２と接続されている。
【００３１】
さらに、制御回路３６には、静電気除去ランプ５２、伝票発行ランプ５６、燃料選択釦６４〜６６、満タン釦６８、供給量設定釦７０〜７３、金額設定釦７６〜７９などの各種表示ランプが接続されている。
【００３２】
メモリ４４には、各種制御プログラムが格納されている。制御回路３６は、メモリ４４に格納された各種制御プログラムを読み込んで各制御処理を実行する。
【００３３】
電源回路３７は、制御回路３６だけでなく燃料供給装置１６を構成する他の全て機器の電源供給を行うように電源ケーブル（図示せず）を介して接続されている。
【００３４】
そして、制御回路３６は、操作者の入力操作に応じて次に行う操作に対応するランプを点灯または点滅させると共に、スピーカ６０から音声案内を発声させる。
【００３５】
図７は計量機２４の制御回路３６が実行するメイン制御処理を説明するためのフローチャートである。図７において、制御回路３６は、Ｓ１１で、ノズル掛けスイッチ５０がオフか否かをチェックする。操作者が給液操作を行なうため、ノズル掛け２３から給液ノズル３０を持ち上げると、ノズル掛けスイッチ５０がオフに切り替わる。従って、Ｓ１１でノズル掛けスイッチ５０がオフになると（ＹＥＳの場合）、Ｓ１２に進み、ポンプ４０を起動する。これと共に、Ｓ１３では表示器２７，９６の表示をゼロにリセットする。
【００３６】
次のＳ１４では、流量計４２から流量パルスが出力されたか否かをチェックする。操作者がノズル３０のノズルレバー３０ｄを開弁方向に操作して燃料供給を開始すると、流量計４２は流量に比例した周期の流量パルスを出力する。そのため、Ｓ１４において、流量パルスが出力されると（ＹＥＳの場合）、Ｓ１５に進み、流量パルスを積算して燃料供給量を演算する（供給量演算手段）。
【００３７】
続いて、Ｓ１６に進み、計量機２４の表示器２７に現在の燃料供給量（積算流量）を表示させる。これと共に、Ｓ１７では、ノズル３０の制御部１３０に対して流量表示データを無線送信機９２から送信する。これにより、ノズル３０の制御部１３０は、図３（Ａ）に示されるように、送信された流量表示データを無線受信機１４０で受信すると共に、手元表示器９６に燃料供給量を表示する。そのため、操作者は、ノズル操作を行ないながら、ノズル表示ユニット９０の手元表示器９６と吐出パイプ３０ａが挿入された車両側の燃料供給口とを同時にみることが可能になる。
【００３８】
次のＳ１８では、流量パルスの有無により燃料の流速がゼロか否かをチェックする。Ｓ１８において、流速がゼロになったものと判定されたときは（ＹＥＳの場合）、Ｓ１９でノズル３０の自動閉弁機構が液面検知により閉弁動作したものと判定する。
【００３９】
次のＳ２０では、ノズル掛け３２のノズルスイッチ５０がオンに切り替わったか否かをチェックする。Ｓ２０において、ノズル掛け３２のノズルスイッチ５０がオフのときは（ＮＯの場合）、燃料供給中であるので、上記Ｓ２０の処理を繰り返す。また、燃料供給が終了して操作者がノズル３０をノズル掛け３２に戻すと、ノズルスイッチ５０がオンに切り替わる。そのため、Ｓ２０において、ノズル掛け３２のノズルスイッチ５０がオンになると（ＹＥＳの場合）、当該ノズル３０による燃料供給が終了したものと判断してＳ２１に進み、ポンプ４０を停止する。これで、一連の制御処理が終了する。
【００４０】
次に、図８を参照してノズル表示ユニット９０の制御部１３０が実行するノズル制御処理１について説明する。図８に示されるように、制御部１３０は、Ｓ３１でノズル側の手元表示器９６の表示周期（例えば、２００ｍｓｅｃ）が経過したか否かをチェックする。Ｓ３１において、手元表示器９６の表示周期が経過したときは（ＹＥＳの場合）、Ｓ３２に進み、流量計４２から出力された流量パルスの周期と予め設定された閾値との比較から現在の燃料供給の流速が高流速モード（Ｓ４３で判定）または低流速モード（Ｓ４４で判定）かを判別する。
【００４１】
Ｓ３２において、高流速モードと判別された場合には、Ｓ３３に進み、前回の制御処理で無線受信機１４０を起動させたか否かをチェックする。Ｓ３３において、前回の制御処理で無線受信機１４０を起動させた場合（ＹＥＳの場合）には、今回の制御処理で起動させる必要がないので、間欠受信モードになってＳ３４に進み、流量パルスの周期から求めた流速から燃料供給量の推定値を演算する（燃料供給量推定手段）。続いて、Ｓ３５に進み、燃料供給量の推定値を手元表示器９６に表示する（表示制御手段）。このＳ３５では、流量パルスの周期から求めた流速から燃料供給量の推定値を演算して手元表示器９６に表示する（図９（Ｃ）（Ｄ）参照）ため、見かけ上は手元表示器９６に燃料供給量が表示されている。
【００４２】
また、Ｓ３２で高流速モードと判別された場合で、Ｓ３３において、前回の制御処理で無線受信機１４０を起動させなかったときは（ＮＯの場合）、今回の制御処理で起動するため、Ｓ３６に進み、無線受信機１４０を起動させる。このように、本制御処理では、高流速モードのときは（図９（Ａ）の閾値以上のとき）、Ｓ３３、Ｓ３６の処理により無線受信機１４０を２回に１回の割合で起動させるため（図９（Ｂ）参照）、無線受信機１４０の起動回数を５０％に低減することができ、その分充電池１５４の消費電力を抑制することができる。
【００４３】
また、上記Ｓ３２において、低流速モードと判別された場合は連続受信モードになってＳ３６に進み、無線受信機１４０を起動させる。従って、低流速モードのときは（図９（Ａ）の閾値未満のとき）、Ｓ３２、Ｓ３６の処理により無線受信機１４０を毎回起動させて無線送信機９２から送信された流量表示データを毎回読み込んで、手元表示器９６に読み込んだ流量表示データを表示させる。
【００４４】
よって、ノズル３０が液面検知により自動閉弁動作した後の低流速による合わせ込み操作（燃料供給量の末尾をゼロに合わせる操作）を行なう場合でも、手元表示器９６に表示された数値が精緻に表示される。そのため、操作者は、ノズル３０を車両の燃料供給口に挿入して燃料供給を行いながら当該ノズル３０の手元表示器９６に表示された燃料供給量を視認することができるので、操作者が希望するピッタリの数値まで燃料供給を行なうことが可能になると共に、燃料供給口から燃料が噴きこぼれることがない。
【００４５】
次の、Ｓ３７では、計量機本体２８の無線送信機９２から送信された燃料供給データを受信完了したか否かをチェックする。Ｓ３７において、計量機本体２８の無線送信機９２から送信された燃料供給データを受信できなかったときは（ＮＯの場合）、Ｓ３８に進み、送信データの時間間隔（例えば、１０ｍｓｅｃ）が経過したか否かをチェックする。Ｓ３８において、送信データの時間間隔（例えば、１０ｍｓｅｃ）が経過していないときは、上記Ｓ３７の処理に戻る。
【００４６】
また、Ｓ３８において、無線送信機９２から送信された燃料供給データを受信できない状態まま時間間隔（例えば、１０ｍｓｅｃ）が経過したときは（ＹＥＳの場合）、Ｓ３８ａに進み、無線受信機１４０を待機状態にセットする。そして、Ｓ４５の処理に移行する。
【００４７】
また、上記Ｓ３７において、計量機本体２８の無線送信機９２から送信された燃料供給データを受信できた場合（ＹＥＳの場合）、Ｓ３９に進み、受信した燃料供給量の数値を手元表示器９６に表示する（表示制御手段）。次のＳ４０では、無線受信機１４０を待機状態にセットする。
【００４８】
続いて、Ｓ４１では、受信した燃料供給データから流速を算出する。そして、Ｓ４２において、演算された流速の値が予め設定された閾値（例えば、５リットル／分）以上か否かをチェックする。
【００４９】
Ｓ４２において、演算された流速の値が予め設定された閾値（例えば、５リットル／分）以上であるときは（ＹＥＳの場合）、Ｓ４３に進み、高流速モードであると判定し、高流速モードを記憶する。
【００５０】
尚、上記閾値は、予め設定された数値でも良いし、あるいは間欠動作周期を格納したデータベース１００（図１０を参照）を有し、流速に応じた間欠動作周期を読み込む方法でも良い。
【００５１】
また、Ｓ４２において、演算された流速の値が予め設定された閾値（例えば、５リットル／分）未満であるときは（ＮＯの場合）、Ｓ４４に進み、低流速モードであると判定し、低流速モードを記憶する。本実施例では、上記Ｓ４２〜Ｓ４４によって切替手段が構成される。
【００５２】
次のＳ４５では、充電池１５４がオフか否かをチェックする。Ｓ４５において、充電池１５４がオンのときは、上記Ｓ３１に戻り、Ｓ３１以降の制御処理を繰り返す。また、上記Ｓ４５において、充電池１５４がオフの場合、当該ノズル制御処理１を終了する。
【００５３】
ここで、ノズル制御処理の変形例について説明する。
（変形例１）
図１１はノズル表示ユニット９０の制御部１３０が実行するノズル制御処理２のフローチャートである。図１１において、Ｓ５１〜Ｓ６１の制御処理は、前述したＳ３１〜Ｓ４１の制御処理と同様であるので、その説明は省略する。
【００５４】
Ｓ６２では、流速から脈動の振幅を算出する。ノズル３０の弁開度が一定であれば、ノズル３０から吐出される流速もほぼ一定である。しかしながら、操作者によっては、燃料供給中にノズルレバー３０ｄを動かす場合があり、ノズル３０の弁開度が変動するのに伴って流速も脈動する。このような、流速の脈動が小さい場合には、流速を推定することが可能であるが、流速が大きく脈動する場合には、流速を推定することが難しい。
【００５５】
そのため、Ｓ６３では、演算された流速の値が予め設定された閾値（例えば、５リットル／分）以上か否かをチェックすると共に、脈動振幅が閾値（例えば、３リットル／分）未満か否かをチェックする。
【００５６】
Ｓ６３において、演算された流速の値が予め設定された閾値（例えば、５リットル／分）以上であり、且つ、脈動振幅が閾値（例えば、３リットル／分）未満のときは（ＹＥＳの場合）、Ｓ６４に進み、高流速モードであると判定し、高流速モードを記憶する。
【００５７】
尚、上記閾値は、予め設定された数値でも良いし、あるいは間欠動作周期を格納したデータベース（図１７を参照）を有し、流速に応じた間欠動作周期を読み込む方法でも良い。
【００５８】
また、Ｓ６３において、演算された流速の値が予め設定された閾値（例えば、５リットル／分）未満であり、且つ脈動振幅が閾値（例えば、３リットル／分）以上のときは（ＮＯの場合）、Ｓ６５に進み、低流速モードであると判定し、低流速モードを記憶する。
【００５９】
そして、Ｓ６６で充電池１５４がオフか否かをチェックする。Ｓ６６において、充電池１５４がオンのときは、上記Ｓ５１に戻り、Ｓ５１以降の制御処理を繰り返す。また、上記Ｓ６６において、充電池１５４がオフの場合、当該ノズル制御処理２を終了する。
【００６０】
このように、本変形例１では、流速が閾値（例えば、５リットル／分）未満であり、且つ脈動振幅が閾値（例えば、３リットル／分）以上のときは、低流速モードであると判定することで、流量（流速）が不安定である状態での流速の推定演算を行なわないようにすると共に、手元表示器９６に表示される数値を受信した計測値による流量表示データとすることで手元表示器９６の信頼性を確保することが可能になる。
（変形例２）
図１２はノズル表示ユニット９０の制御部１３０が実行するノズル制御処理３のフローチャートである。図１２において、Ｓ７１〜Ｓ８０、Ｓ８２の制御処理は、前述したＳ３１〜Ｓ４０、Ｓ４５の制御処理と同様であるので、その説明は省略する。
【００６１】
図１２のＳ８１では、割込処理Ａを行なう。この割込処理Ａは、図１３に示されるように、Ｓ９１で流量パルスの周期から流速を算出する。続いて、Ｓ９２に進み、流速から脈動の振幅を算出する。
【００６２】
続いて、Ｓ９３では、流量計４２から出力された流量パルスの周期と予め設定された閾値との比較から現在の燃料供給の流速が高流速モードまたは低流速モードかを判別する。Ｓ９３において、高流速モードと判別されたときは、Ｓ９４に進み、演算された流速の値が予め設定された閾値（例えば、５リットル／分）以下か否かをチェックすると共に、脈動振幅が閾値（例えば、３リットル／分）以上か否かをチェックする。
【００６３】
Ｓ９４において、演算された流速の値が閾値（例えば、５リットル／分）以下、あるいは、脈動振幅が閾値（例えば、３リットル／分）以上のときは（ＹＥＳの場合）、Ｓ９５に進み、低流速モードであると判定し、低流速モードを記憶する。また、Ｓ９４において、演算された流速の値が予め設定された閾値（例えば、５リットル／分）以下、あるいは、脈動振幅が閾値（例えば、３リットル／分）以上でないときは（ＮＯの場合）、低流速モードを記憶せずに、今回の割込処理Ａを終了する。
【００６４】
また、上記Ｓ９３において、低流速モードと判別されたときは、Ｓ９６に進み、演算された流速の値が予め設定された閾値（例えば、５リットル／分）以上か否かをチェックすると共に、脈動振幅が閾値（例えば、３リットル／分）未満か否かをチェックすると共に、流速が閾値以上で脈動振幅が閾値未満の状態が３秒間連続したか否かをチェックする。
【００６５】
Ｓ９６において、流速の値が予め設定された閾値（例えば、５リットル／分）以上であり、且つ、脈動振幅が閾値（例えば、３リットル／分）未満で、且つ流速が閾値以上で脈動振幅が閾値未満の状態が３秒間連続したときは（ＹＥＳの場合）、Ｓ９７に進み、高流速モードであると判定し、高流速モードを記憶する。
【００６６】
また、Ｓ９６において、流速の値が閾値（例えば、５リットル／分）未満で、且つ、脈動振幅が閾値（例えば、３リットル／分）以上で、且つ流速が閾値以上で脈動振幅が閾値未満の状態が３秒間連続しないときは（ＮＯの場合）、高流速モードを記憶せずに、今回の割込処理Ａを終了する。本変形例２では、上記Ｓ９３〜Ｓ９７によって切替手段が構成される。
【００６７】
このように、本変形例２では、Ｓ７２において、流速のみから低流速モードと判別された場合でも、Ｓ９６において、流速が閾値（例えば、５リットル／分）以上で、且つ脈動振幅が閾値（例えば、３リットル／分）未満で、且つ流速が閾値以上で脈動振幅が閾値未満の状態が３秒間連続したときは高流速モードに切替えるため、高流速モードの判別条件がより厳密に設定されることで、手元表示器９６の信頼性をより高めることが可能になる。
【００６８】
また、Ｓ７２において、流速のみから高流速モードと判別された場合でも、Ｓ９４において、流速の値が閾値（例えば、５リットル／分）以下、あるいは、脈動振幅が閾値（例えば、３リットル／分）以上のときは低流速モードに切替えるため、低流速モードの判別条件がより緩和されることで、推定値よりも計測値が優先されることになり、手元表示器９６の信頼性をより高めることが可能になる。
（変形例３）
図１４はノズル表示ユニット９０の制御部１３０が実行するノズル制御処理４のフローチャートである。図１３において、Ｓ１０２〜Ｓ１１０、Ｓ１１２の制御処理は、前述したＳ３２〜Ｓ４０、Ｓ４５の制御処理と同様であるので、その説明は省略する。
【００６９】
図１４のＳ１０１では、予め設定されている手元表示器９６の表示周期（例えば、２００ｍｓｅｃ）に充電池１５４の電圧値に応じた間欠周期ｃ（時定数）を加算した時間が経過したか否かをチェックする。
【００７０】
図１４のＳ１１１では、割込処理Ｂを行なう。この割込処理Ｂは、図１５に示されるように、Ｓ１２１で充電池１５４の電圧を計測し、計測した電圧値を記憶する。次のＳ１２２では、計測された充電池１５４の電圧値に応じた間欠周期ｃを求める。この間欠周期ｃは、演算式によって求めても良いし、あるいはデータベースに記憶された数値を電圧値に応じて抽出する方法で求めても良い。
【００７１】
Ｓ１２３〜Ｓ１２９の制御処理は、前述した図１３のＳ９１〜Ｓ９７の制御処理と同様であるので、その説明は省略する。本変形例３では、上記Ｓ１２５〜Ｓ１２９によって切替手段が構成される。
【００７２】
このように、本変形例３では、Ｓ１０１で予め設定されている手元表示器９６の表示周期（例えば、２００ｍｓｅｃ）に充電池１５４の電圧値に応じた間欠周期ｃを加算した時間が設定されるため、例えば、充電池１５４の電圧値に反比例して間欠周期ｃを増加することにより、電圧値が低下するのに伴って無線受信機１４０の起動間隔を長くして充電池１５４の電圧低下を抑制することが可能になる。
（変形例４）
図１６はノズル表示ユニット９０の制御部１３０が実行するノズル制御処理５のフローチャートである。図１６において、Ｓ１３３〜Ｓ１４２の制御処理は、前述したＳ３２〜Ｓ４１の制御処理と同様であるので、その説明は省略する。
【００７３】
図１６のＳ１３１では、タイマカウンタを０．２秒に設定する。次のＳ１３２では、タイマカウンタに設定された間欠時間ｔ（電源投入直後はｔ＝０．２秒）が経過したか否かをチェックする。
【００７４】
図１６のＳ１４３では、流速に基づいて１リットルが供給されるまでに要する所要時間を計測する。次のＳ１４４では、当該計測時間を間欠時間ｔとして設定する。従って、次にＳ１３２の処理を行なう際は、上記Ｓ１４４で設定された間欠時間ｔが経過した後、Ｓ１４５以降の制御処理を行なう。
【００７５】
このように、本変形例４では、所定の流量が供給される時間を計測し、その計測時間をタイマカウンタに設定するため、例えば、所定の流量が供給される際の過去の流速に応じて間欠時間ｔを更新することができ、流速に応じた間欠時間毎に無線受信機１４０の起動間隔を調整することが可能になり、例えば、高流速のときは間欠時間を長くして充電池１５４の電圧低下を抑制することが可能になる。
（変形例５）
図１７はノズル表示ユニット９０の制御部１３０が実行するノズル制御処理６のフローチャートである。図１６において、Ｓ１５１、Ｓ１５３〜Ｓ１６１の制御処理は、前述したＳ３１、Ｓ３３〜Ｓ４１の制御処理と同様であるので、その説明は省略する。
【００７６】
図１７のＳ１５２では、流速安定モードが設定されているのか、流速非安定モードが設定されているのかを判定する。Ｓ１５２において、流速安定モードが設定されている場合には、Ｓ１５３以降の処理（Ｓ１５４で流速に基づく推定値の演算）を行なう。また、Ｓ１５２において、流速非安定モードが設定されている場合には、Ｓ１５６以降の処理（受信機１４０による流量表示データの受信処理）を行なう。
【００７７】
図１７のＳ１６２では、流量パルスの周期から流速が安定しているか否かをチェックする。Ｓ１６２において、流量パルスの周期が所定時間同じ一定値である場合（ＹＥＳの場合）には、Ｓ１６３に進み、流速安定モードであると判別し、記憶する。また、Ｓ１６２において、流量パルスの周期が所定時間内に変動した場合（ＮＯの場合）には、Ｓ１６４に進み、流速非安定モードであると判別し、記憶する。
【００７８】
従って、本変形例５では、流速の変動率に応じて流速安定モードまたは流速非安定モードの何れかが設定されるため、次のＳ１５２の処理では、前回処理で得られた流速変化（流速安定性）に応じた流量計測値または推定値の何れかを選択して手元表示器９６に表示することが可能になる。
【産業上の利用可能性】
【００７９】
尚、上記実施例では、ガソリンや軽油などの液体燃料を供給する燃料供給装置を例に挙げて説明したが、これに限らず、これ以外の燃料（例えば、ＣＮＧ，ＬＮＧ，ＬＰＧ、水素など）を供給する燃料供給装置にも本発明を適用することができるのは勿論である。
【００８０】
また、上記実施例においては、セルフサービス方式の燃料供給装置を例に挙げたが、これに限らず、燃料供給所の作業員が操作を行なう所謂フルサービス方式のものにも適用できるのは勿論である。
【００８１】
また、上記実施例では、ノズルに手元表示器を設けた構成を例に挙げて説明したが、これに限らず、操作者がノズルを燃料供給口に挿入した状態で視認できる対面側の位置（例えば、ホース、あるいは車体側など）に携帯型表示器を設けても良い。この場合、１台の燃料供給装置に対して少なくとも２台の携帯型表示器を配し、入口で運転者に手渡し、出口で回収するようにしても良い。
【００８２】
また、上記実施例では、１台の燃料供給装置に複数の燃料供給経路を設けた構成を一例として挙げたが、１台の燃料供給装置に少なくとも一つの燃料供給経路が設けられていれば良い。
【符号の説明】
【００８３】
１０  燃料供給システム
１２  燃料供給エリア
１６  燃料供給装置
１８  事務所
２０  管理コンピュータ
２４  計量機
２６  設定器
２７  表示器
２８  計量機本体
３０  ノズル
３２  ノズル掛け
３６  制御回路
３７  電源回路
３８  ２段閉弁式電磁弁
４０  ポンプ
４２  流量計
４４  メモリ
４６  人検出センサ
５０  ノズル掛けスイッチ
５４  静電気除去検出スイッチ
５８  伝票発行機
６４〜６６  燃料選択釦
７０〜７３  供給量設定釦
７６〜７９  金額設定釦
９０  ノズル表示ユニット
９２  無線送信機
９４  太陽電池パネル
９６  手元表示器
１３０  制御部
１３２  受信周期制御部
１４０  無線受信機
１４２  平面アンテナ
１５０  太陽電池ユニット
１５４  充電池
【図１】
2010228796.tif 000003
【図２】
2010228796.tif 000004
【図３】
2010228796.tif 000005
【図４】
2010228796.tif 000006
【図５】
2010228796.tif 000007
【図６】
2010228796.tif 000008
【図７】
2010228796.tif 000009
【図８】
2010228796.tif 000010
【図９】
2010228796.tif 000011
【図１０】
2010228796.tif 000012
【図１１】
2010228796.tif 000013
【図１２】
2010228796.tif 000014
【図１３】
2010228796.tif 000015
【図１４】
2010228796.tif 000016
【図１５】
2010228796.tif 000017
【図１６】
2010228796.tif 000018
【図１７】
2010228796.tif 000019